(57)【要約】  スポットライト１は、光ビーム１０を生成する光源７と光ビーム１０の向きを調整するモータ手段とを有する。検出器１１は、スポットライトユニット１に向けられているレーザポインタ１２のレーザビーム１３、１７を検出する。検出器１１は、レーザポインタ１２の場所を検出する手段を有しており、モータ制御手段は、光ビーム１０をレーザポインタ１２に向けるために前記モータ手段を制御する。
2008527646.tif 000002
【特許請求の範囲】
【請求項１】
光ビームを生成する光源と、前記光ビームの方向を調整するモータ手段と、スポットライトユニットに向けられているレーザポインタのレーザビームを検出する検出器とを有する前記スポットライトユニットにおいて、前記検出器は、前記レーザポインタの場所を検出する手段を含んでおり、モータ制御手段が、前記光ビームを前記レーザポインタに向けるために前記モータ手段を制御するように設けられていることを特徴とする、スポットライトユニット。
【請求項２】
前記検出器は、レンズ及び複数のフォトダイオードを有しており、前記レーザビームは、前記レンズを通過することができると共に、１つ以上の前記フォトダイオードによって受け取られることができることを特徴とする、請求項１に記載のスポットライトユニット。
【請求項３】
前記検出器は、四分割フォトダイオードとして配されている４つのフォトダイオードを有していることを特徴とする、請求項２に記載のスポットライトユニット。
【請求項４】
前記検出器は前記光源と接続されており、この結果、両方が、前記モータ手段によって共同で移動されることを特徴とする、請求項１ないし３の何れか一項に記載のスポットライト。
【請求項５】
前記検出器は、前記レーザビームが前記検出器に向けられている限り、前記モータ制御手段をオンに自動的に切り換えるスイッチを有していることを特徴とする、請求項１ないし４の何れか一項に記載のスポットライトユニット。
【請求項６】
前記のような制御手段は、前記検出器に前記レーザビームが当たっているが、前記レーザポインタが前記検出器の範囲の外側に位置されている場合に、前記検出器の位置を変化させることができことを特徴とする、請求項１ないし５の何れか一項に記載のスポットライトユニット。
【請求項７】
前記検出器が、前記レーザビームの或る変調を認識する手段を有していることを特徴とする、請求項１ないし６の何れか一項に記載のスポットライトユニット。
【請求項８】
モータ手段が光ビームの方向を調整し、レーザポインタのレーザビームがスポットライトユニットに向けられ、前記レーザビームが検出器によって検出される、前記スポットライトユニットの前記光ビームを検出する方法において、前記検出器は、前記レーザポインタの場所を検出し、モータ制御手段が、前記レーザビームを前記レーザポインタに向けるように前記モータ手段を制御することを特徴とする、スポットライトユニットの前記光ビームを検出する方法。
【発明の詳細な説明】
【技術分野】
【０００１】
本発明は、光ビームを生成する光源を有するスポットライトユニットと、前記光ビームの方向を調整するモータ手段と、前記スポットライトユニットに向けられているレーザポインタのレーザビームを検出する検出器とを有するスポットライトユニットに関する。
【背景技術】
【０００２】
前記のようなスポットライトユニットは、ドイツ国特許出願第２３１５８５２号に記載されており、各スポットライトユニットが前記スポットライトユニットの光源（即ちスポットライト）の光ビームの方向を調整するモータ手段を備えている複数のスポットライトユニットを有するシステムが、記載されている。前記モータ手段は、関連するスポットライトユニットに向けられている指向性の特定のレーザポインタによって活性化される。前記レーザポインタは、前記スポットライトの前記光ビームを所望の方向に向けるために、特定の無線又は赤外線信号をマイクロプロセッサに非指向的に送信するデータ送信機も有している。
【発明の開示】
【発明が解決しようとする課題】
【０００３】
調整されるべき前記スポットライトを指定するレーザポインタを有するアクティベータは、特に多くのスポットライトユニットが存在する場合、不慣れな人が、どのスポットライトユニットが調整されるべきであるかを示すのを容易にしている。しかしながら、前記スポットライトユニット自体の調整、即ち前記スポットライトの光ビームを所定の目標物に向けるための前記モータ手段による前記スポットライトの動きの制御は、特に、技術的背景を有していない人にとって、未だやや複雑な操作である。
【０００４】
本発明の目的は、光ビームを生成する光源（スポットライト）と、前記光ビームの方向を調整するモータ手段とを有する、スポットライトユニットであって、前記光ビームの方向を前記所定の目標物に向けるための前記光ビームの方向の調整が、不慣れな人によって容易に実施されることができる簡単な操作である、スポットライトユニットを提供することにある。
【課題を解決するための手段】
【０００５】
この目的を達成するために、検出器は、前記レーザポインタの場所を検出する手段を有しており、前記のようなモータ制御手段は、前記光ビームを前記レーザポインタに向けるために前記のようなモータ手段を制御するために設けられている。この方向から前記レーザビームが前記スポットライトユニットに入射する方向は、これにより検出され、この結果、前記レーザポインタの場所は、自身の方向によって決定される。前記のような情報は、前記制御手段が、前記スポットライトの光ビームをこの場所に向けるのに十分なものである。前記のようなシステムの操作者は、自身が照明したい場所に前記レーザポインタを保持し、この場所から自身が調整したいスポットライトユニットに向かって、前記レーザポインタを向け、次いで、このスポットライトの前記光ビームは、この場所に移動する。
【０００６】
前記検出器は、ＣＣＤカメラ等であっても良いが、好適実施例においては、前記検出器は、レンズ及び複数のフォトダイオードを有する簡潔な装置であって、前記レーザビームは、前記レンズを通過し、１つ以上の前記フォトダイオードによって受け取られる。前記レーザビームの前記レンズに対する入射の角度は、前記レーザビームが当たる前記フォトダイオードによって又は相互に隣接しているフォトダイオードによって判定される。
【０００７】
前記検出器は、好ましくは、四分割フォトダイオードとして配されている４つのフォトダイオードを有しており、前記４つのフォトダイオードの各々は、前記レンズの後ろの領域の四分割部内に位置されている。全ての４つのフォトダイオードに、前記レーザビームが同じ程度当たった場合、前記レーザビームは、前記のような四分割のフォトダイオードの中央に入射し、これにより、前記レンズの面に対して垂直に前記レンズに入射する。１つ又は２つのフォトダイオードに入射する場合、前記レーザビームは他の方向から到着し、当たっている前記（複数の）フォトダイオードに依存して判定されることができる。
【０００８】
好適実施例において、前記検出器は、前記光源（即ち、前記スポットライトユニットの前記スポットライト）と接続されており、この結果、両方が、前記モータ手段によって共同で移動される。前記検出器は、次いで、前記レーザビームが入射の所定角度で（好ましくは、前記レンズに対して垂直に）前記検出器に入射するまで、移動され、これにより、前記スポットライトの光ビームは、照明されるべき所定の目標物である前記レーザポインタに向けられる。前記レーザビームは、好ましくは、少しの程度、発散しているものであり、この結果、前記調整操作の間、前記レーザポインタを前記検出器に向けるのを維持するのは、容易である。
【０００９】
好適実施例において、前記検出器は、前記レーザビームが前記検出器に向けられている限り、前記モータ制御手段を自動的にオンに切り換えるスイッチを有している。前記モータ手段をオン及びオフに切り換える付加的な信号に対する必要性が存在し、この結果、簡単なレーサポインタは、前記モータ手段を活性化するリモコン装置でもある。
【００１０】
前記レーザポインタを検出する検出器が、所定の範囲、即ち、前記レーザポインタの場所が検出されることができる領域を有する。特に、簡単な検出器は、比較的小さい範囲を有する。仮に前記レーザポインタが前記検出器の範囲外に位置されているならば、当該スポットライトユニットの好適実施例は、前記検出器に前記レーザビームが当たっているものの前記レーザポインタが前記検出器の範囲外に位置されている場合に、前記のような場所を探すために前記検出器の位置を変化させることができる制御手段を有している。前記検出器が前記スポットライトに取り付けられている場合、前記モータ手段は、前記レーザポインタが前記検出器の範囲内にあるようになるまで、前記スポットライトを移動させることができる。
【００１１】
前記スポットライトビームの調整は、常に、スポットライトユニットの調整の可能性のみというわけではない。前記スポットライトの他の特性、例えば前記ライトの強度及び／若しくは色、並びに／又は前記光ビームの発散（即ち、照明される面の直径）を調整することもしばしば可能である。好適実施例において、前記レーザポインタは、前記スポットライトの前記他の特性も制御することができるリモコン装置の一部である。前記リモコン装置は、前記スポットライトユニットに無線又は赤外線信号を送信することができる。しかしながら、前記検出器は、好ましくは、前記レーザビームの或る変調を認識する手段を有しており、この結果、前記レーザビーム自体が、前記他の特性を制御するための前記信号を含むことができる。前記レーザポインタの前記リモコン機能は、前記リモコンユニット（即ち前記レーザポインタ）によって送信される前記信号が、調整されるべき前記スポットライトの前記検出器以外の信号受信装置によって受け取られることができないという利点を有する。
【００１２】
本発明は、スポットライトの前記光ビームを指向する方法であって、前記モータ手段は、前記光ビームの方向を調整し、レーザポインタのレーザビームは、前記スポットライトユニットに向かって向けられ、前記レーザビームは、前記レーザポインタの場所を検出する検出器によって検出され、モータ制御手段が、前記のような光ビームを前記照明のための前記目標物である前記レーザポインタに向かって向けるために前記のようなモータ手段を制御する、方法にも関する。
【発明を実施するための最良の形態】
【００１３】
本発明のこれら及び他の見地は、以下に記載される実施例を参照して、明らかになり、説明されるであろう。
【００１４】
図１は、壁又は（図１に示されているように）天井２に取り付けられているスポットライトユニット１を示している。スポットライトユニット１は、天井２に接続されているベース部３と、矢印６によって示されているように、ベース部３に対して垂直軸５の周りに回転することができる回転部４とを有する。スポットライト７は、回転部４内に取り付けられており、矢印９によって示されているように、回転部４に対して水平軸８の周りに枢動することができる。破線１０は、スポットライト７によって生成される光ビームを示している。
【００１５】
スポットライト１は、スポットライト７を軸８の周りに回転させると共に、前記スポットライトユニット１の回転部４を軸５の周りに移動させるモータ手段を更に有している。これらのモータ手段（図１には示されていない）は、いかなる所望の方向にも、スポットライト７の光ビーム１０を移動させることができる一方で、前記制御手段（図１には示されていない）は、前記モータ手段を制御する。従って、スポットライト７の光ビーム１０の方向は、前記制御手段によって調整されることができる。
【００１６】
図１に示されているように、検出器１１は、スポットライト７に取り付けられており、この結果、検出器１１は、スポットライト７と一緒に移動する。検出器１１は、レーザポインタ１２の前記レーザビームに敏感であり、レーザポインタ１２は、前記スポットライトユニット１を調整したい人によって保持される。レーザポインタ１２の前記レーザビームは、破線１３によって示されている。検出器１１は、検出器１１にレーザビーム１３が当たっている限り、前記制御手段及び前記モータ手段をオンに切り換えるスイッチを有している。更に、検出器１１は、図２ないし５を参照することによって以下に説明されるように、レーザポインタ１２の場所を検出し、検出器１１の前側における前記レンズに対するレーザビーム１３の入射角を判定する。
【００１７】
検出器１１のレーザビーム１３の入射角に依存して、前記制御手段は、前記モータ手段を活性化し、これによりスポットライト７は、検出器１１と一緒に、水平軸８の回りに回転し、回転部４は、スポットライト７及び検出器１１と一緒に、垂直軸５の回りに回転する。従って、前記モータ手段は、スポットライト７の光ビーム１０が、レーザポンタ１２（目標物）まで移動するような態様において制御される。検出器１１の前側における前記レンズに対する光ビーム１３の入射角が９０°である、即ち垂直である場合、光ビーム１０は、レーザポインタ１２に向かって向けられ、光ビーム１０の調整は、停止する。
【００１８】
図２ないし５は、前記検出器の動作を模式的に示している。側面図に示されている、集束レンズ１５は、検出器の前側に設けられている。レンズ１５の焦点長である距離Ｆ（図２参照）において、４つのフォトダイオードのアセンブリ（四分割フォトダイオードと称される）１６が設けられている。４つの、相互に隣接しているフォトダイオードＡ、Ｂ、Ｃ及びＤは、各図２ないし５の右側の全面に表されている。
【００１９】
図２ないし５に示されているように、レーザポインタから到来するレーザビーム１７は、レンズ１５を通過する際に集束する。集束されたレーザビーム１８は、レンズ１５に対するレーザビーム１７の入射角に依存する場所において、四分割フォトダイオード１６に入射する。図２及び３において、レーザビーム１７は、様々な場所であるが同じ方向（入射角）においてレンズ１５に入射しており、従って、何れの場合においても、四分割フォトダイオード１６は、四分割ダイオード１６の前面における網掛けされているスポット１９によって示されているように、同じ場所に当たっている。
【００２０】
図２及び３において、レーザビーム１８は、フォトダイオードＡ及びフォトダイオードＢに入射しており、このデータに基づいて、前記制御手段は、レーザビーム１７がレンズ１５に垂直に入射している図４及び５に示されている状況を得るために、スポットライト７及び検出器の移動の方向（図１参照）を決定することができる。従って、集束しているレーザビーム１８は、網掛けされているスポット２０によって示されているように、四分割フォトダイオードの中央に入射し、この結果、全ての４つのフォトダイオードＡ、Ｂ、Ｃ及びＤに、同じ程度にあたっている。再び、図４及び５に示されているように、レーザビーム１７は、レンズ１５に入射している場所が、集束しているレーザビーム１８が四分割フォトダイオード１６に入射している場所（網掛けされているスポット１９及び２０）を決定するのではない。レーザビーム１７の方向のみが、この場所を決定する。
【００２１】
上述の実施例は、本発明による調整可能なスポットライトユニットの単なる例であり、非常に多くの他の実施例が、代替的に可能である。
【図面の簡単な説明】
【００２２】
【図１】当該スポットライトユニット及び当該レーザポインタを有するシステムを示している。
【図２】当該検出器の動作を模式的に示している。
【図３】当該検出器の動作を模式的に示している。
【図４】当該検出器の動作を模式的に示している。
【図５】当該検出器の動作を模式的に示している。
【図１】
2008527646.tif 000003
【図２】
2008527646.tif 000004
【図３】
2008527646.tif 000005
【図４】
2008527646.tif 000006
【図５】
2008527646.tif 000007
【国際調査報告】
2008527646.tif 000008
2008527646.tif 000009